(57)【特許請求の範囲】
【請求項１】
基準電圧を生成する電源、ヘッドで得られた信号を増幅するイコライザアンプ、及び出力アンプとしてのラインアンプを備えたオペアンプに、信号ライン及び電源ラインにより信号及び電源を供給する接続形態を有するオーディオ再生回路において、
前記電源ラインが前記電源に接続する入口及び又は入口前の前記電源ラインに、及び前記信号ライン並びに前記電源ラインが前記イコライザアンプ並びに前記ラインアンプに接続する入口及び又は入口前の前記電源ライン並びに前記信号ラインに、９００±５ＭＨｚ帯の周波数帯域を検波減衰させるフィルタ手段を設けた、妨害波除去手段を備えたオーディオ信号再生回路。
【請求項２】
前記フィルタ手段は、前記イコライザアンプの入力端子に接続する信号ラインの入力にＴ型フィルタを組み込んだ、請求項１記載の妨害波除去手段を備えたオーディオ信号再生回路。
【請求項３】
前記Ｔ型フィルタは、コイルとコンデンサとから構成され、信号ラインとイコライザアンプの入力端子との間に直列接続した２個のコイルを挿入し、該コイルの中間位置にコンデンサの一方側を接続し、該コンデンサの他方側を接地した接続構成である、請求項２記載の妨害波除去手段を備えたオーディオ信号再生回路。
【請求項４】
前記コイルは、４７ｎＨのインダクタである、請求項１記載の妨害波除去手段を備えたオーディオ信号再生回路。
【請求項５】
前記フィルタ手段は、前記ヘッドに接続した信号ラインにコイルを挿入したフイルタを含む、請求項２記載の妨害除去手段を備えたオーディオ信号再生回路。
【請求項６】
オーディオ信号を記録再生する記録再生手段と、該記録再生手段により再生する際に妨害波信号を除去する妨害波除去手段と、を備えたオーディオ機器であって、
前記妨害波除去手段は、基準電圧を生成する電源、ヘッドで得られた信号を増幅するイコライザアンプ、及び出力アンプとしてのラインアンプを備えたオペアンプのうちの前記電源に接続する電源ラインの入口及び又は入口前の前記電源ラインに、及び前記オペアンプのうちの前記イコライザアンプ並びに前記ラインアンプに接続する信号ライン並びに電源ラインの入口及び又は入口前の前記電源ライン並びに前記信号ラインに、９００ＭＨｚ帯の周波数帯域を検波減衰させるためのフィルタ手段を設けた、オーディオ機器。
【請求項７】
前記フィルタ手段は、前記イコライザアンプの入力端子に接続する信号ラインの入口に、Ｔ型フィルタを組み込んだ、請求項６記載のオーディオ機器。
【請求項８】
前記Ｔ型フィルタは、コイルとコンデンサとから構成され、信号ラインとイコライザアンプの入力端子との間に直列接続した２個のコイルを挿入し、該コイルの中間位置にコンデンサの一方側を接続し、該コンデンサの他方側を接地した接続構成である、請求項７記載のオーディオ機器。
【請求項９】
前記コイルは、４７ｎＨのインダクタである、請求項６記載のオーディオ機器。
【請求項１０】
前記フィルタ手段は、前記ヘッドに接続した信号ラインにコイルを挿入したフイルタを含む、請求項７記載のオーディオ機器。
【発明の詳細な説明】
【０００１】
【発明の属する技術分野】
本発明は、妨害波除去手段を備えたオーディオ信号再生回路及びオーディオ機器に関し、詳しくは信号ライン及び電源ラインを通して、９００ＭＨｚ帯の妨害波がオペアンプに混入するのを防止する妨害波除去手段を講じたオーディオ信号再生回路及びオーディオ機器に関する。
【０００２】
【従来の技術】
従来技術におけるオーディオ信号再生回路における妨害波除去手段は、（１）筐体にシールドを施すことにより妨害波の侵入を防ぐものや、（２）妨害波を含むオーディオ信号にフィルタ手段を施して妨害波を除去するもの等が存在する。
（１）筐体にシールドを施すことにより妨害波を除去するためには、そのパネルは導電塗料を施したプラスチックパネルを用いたり、金属パネルを用いているものが周知である。
【０００３】
一方、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式の携帯電話の妨害波の輻射規制として規定された「ＥＮ５５０２０―Ａ１２」規格がある。この「ＥＮ５５０２０―Ａ１２」規格は、ＣＥＮＥＬＥＣ（欧州電気標準化委員会）が作成した規格（安全、ＥＭＣ、その他を含む）の内、ＥＭＣにかかわる規制であり、その中のイミュニテイと呼ばれるＥＭＳ規格（ＳＴＤ）が「ＥＮ５５０２０」である。これは、最近規格の修正改正の動きの中、欧州で流行しているＧＳＭの影響を考慮した追加規格であり、具体的には、電子機器、例えばオーディオ機器をシールドルーム内に載置し、放射電磁界を測定サンプル（オーディオ機器）に与え、その影響をみてＯＫ、ＮＧの判定を行うというものである。この測定する具体的手法については後述する。
【０００４】
このような、ＥＭＣ、安全の規格体系は、国際規格、地域規格、各国規格、製品規格に分けることができる。先ず、国際規格は、ＩＥＣ（国際電気標準委員会）、ＣＩＳＰＲ（国際無線障害特別委員会）があり、地域規格としては、ＮＡＦＴＡ（北米自由貿易圏）、ＥＵ（欧州連合）＋ＮＦＴＡ（欧州自由貿易連合）がある。このなかで、ＵＳＡ、カナダ、メキシコはＮＡＦＴＡの規格に準拠し、ドイツ、イギリス、フランス、他１２カ国はＥＵの規格に準拠し、フィンランド、ノルウェー、スウェーデン、他３カ国はＮＦＴＡの規格に準拠している。このうち、ＥＵ、ＮＦＴＡの規格に準拠している国は、ＣＥＮＥＥＬＥＣに参加しており、製品はＣＥＮＥＬＥＣが作成したＥＮ５５０２０規格に準拠しなければならない。
【０００５】
このＥＮ５５０２０規格に準拠し、（２０００１年に）追加される事項があり、それは、所謂、イミニュティー試験といわれるもので、他の機器等からの妨害に対しその対象製品の耐力（妨害排除能力）を規制するものである。この規制は４項目からなり、そのうち「Ｒａｄｉｏ  ｆｒｅｑｕｅｎｃｙ  ｅｌｅｃｔｒｏｍａｇｎｅｔｉｃ  ｆｉｅｌｄ  ｃａｒｒｉｅｒ」試験がある。この試験は、ＧＳＭ方式の携帯電話からの妨害耐力を規定する目的で追加されている。
【０００６】
この試験においては、妨害波としてＧＳＭの発生電波を模して「９００ＭＨｚ±５ＭＨｚ」に「２００Ｈｚ」のパルス変調（デューテイ比５０％）をかけてアンテナから放射し、オーディオ機器（例えばＶＣＲ：Ｖｉｄｅｏ  Ｃａｓｅｔｔｅ  Ｒｅｃｏｒｄｅｒ）に印加する。加える妨害波の強さは、製品のアンテナに一番近い面で３Ｖ／ｍが規制値になる、この妨害波の強度は、２ワット出力のＧＳＭから、１.８ｍ離れた地点での電解の強さで表す。製品がＯＫかＮＧかの判断は、この妨害波のもとで記録／再生を行って、画像にビートの発生等の妨害がないこと、音声Ｓ／Ｎ比が４０ｄＢ以上であることが条件となる。
【０００７】
このような種々の条件を満たすための実際の測定手法は、図７に示すように、シールドルーム２０を用意し、測定機器として妨害波発生器２１、ＲＦ信号発生器２２、モニタ２３、オーディオＳ／Ｎメータ２４を用意する。妨害波発生器２１は、シールドルーム２０内のアンテナ１２５から妨害波が発生させることができるものである。この妨害波は、図８に示すように、９００ＭＨｚ±５ＭＨｚの妨害波に２００Ｈｚのパルス変調(デューテイ比５０％)をかけた変調妨害波である。
【０００８】
シールドルーム２０には、高さ８０ｃｍのテーブルの上にセット（ここではＶＣＲ）を載置すると共に、妨害波発生器２１に接続されたアンテナ１２５からの妨害波の電界強度がアンテナ１２５側のセット（ＶＣＲ）の端部において３Ｖ／ｍに設定する。具体的には、セット（ＶＣＲ）のフロント、リア及び両サイドの４面をアンテナ１２５に正対させて測定する。
【０００９】
そして判定条件は、妨害レベル３ｄＢ／ｍ下で次の条件を満足する必要がある。▲１▼映像においてはモニタ２３上でビート等の画質劣化がないこと。▲２▼音声において、音声Ｓ／Ｎ比が４０ｄＢ以上あること、である。
【００１０】
ここで、セットであるＶＣＲ、即ち、オーディオ機器に搭載されているオーディオ再生回路４Ａは、図８に示すように、オーディオ・イレーズヘッド６、フル・イレーズヘッド７、オーディオ・ヘッド９に接続されたオーディオＩＣに内蔵されておいるオペアンプであるオペアンプ回路５とからなる。
【００１１】
オペアンプ回路５は、５ボルトのスイッチングレギュレータ１１から電源電圧を入力して２.３ボルトの基準電圧を生成する２.３ボルト電源１２と、ヘッド６、７、９からの信号を受信して増幅するイコライザアンプ１３と、ラインアンプ１４とから構成されている。
【００１２】
このような構成からなるオーディオ再生回路４Ａの接続状態は、オーディオ・イレーズヘッド６、フル・イレーズヘッド７、コンデンサＣ１を並列に接続し、フル・イレーズヘッド７とコンデンサＣ１との中間点をバイアストランス８の中間位置に接続し、バイアストランス８の一方側の端子は、並列接続したオーディオ・イレーズヘッド６並びにフル・イレーズヘッド７の一方側に接続し、他方側の端子は抵抗Ｒ１、スイッチ１０を介して並列接続したオーディオ・イレーズヘッド６並びにフル・イレーズヘッド７の他方の接地側に接続してある。スイッチ１０と抵抗Ｒ１との中間点をオーディオ・ヘッド９の一方の端子に接続し、オーディオ・ヘッド９の他方の端子はコンデンサＣ２を介してイコライザアンプ１３の一方の入力端子に接続されている。又、イコライザアンプ１３の一方の入力端子は、負荷Ｚ１を介して２.３ボルト電源１２に接続されている。又、イコライザアンプ１３の他方の入力端子は、負荷Ｚ２を介して接地されると共に、その出力端子、負荷Ｚ３を介してフィードバックして接続されている。また、このイコライザアンプ１３の出力端子は、負荷Ｚ４を介して接地されていると共に、負荷Ｚ４を介してラインアンプ１４の入力端子に接続されている。ラインアンプ１４の出力端子は、図示しない外部端子に接続されている。
【００１３】
このような構成及び接続状態を有するオペアンプ回路５においては、ヘッド６，７、９からの信号がイコライザアンプ１３により増幅され、ラインアンプ１４を介して出力することができるのである。
【００１４】
【発明が解決しようとする課題】
しかしながら、従来技術で説明した、（１）筐体にシールドを施すことにより妨害波を除去する構成のものにおいて、（ａ）導電塗料を施したプラスチックパネルを用いるものは量産での接触状態のバラツキがおおいこと、溶剤等を使用するために環境への配慮が必要であること、単価が高いためコストが高くつくという問題がある。
【００１５】
又、（ｂ）金属パネルを使用する場合には、量産での接触状態のバラツキがおおいこと、単価が高いためコストが高くなること、ディスク上の制約があるという問題がある。
【００１６】
更に、（２）妨害波を含むオーディオ信号にフィルタ手段を施して妨害波を除去するものは、妨害波分の周波数（２００Ｈｚおよびその変調波）がオーディオ信号の帯域に入り込んでしまうため、これらの妨害波成分のみを除去することが不可能であるという問題がある。
【００１７】
即ち、図８を参照して説明した上述のオーディオ再生回路４Ａにおいて、「ＥＮ５５０２０―Ａ１２」規格に基づく９００±５ＭＨｚの周波数をデューテイ５０％の２００Ｈｚで変調した変調妨害波が印加された場合に、電源ライン及び信号ラインへの影響を考察すると、先ず、電源ラインに影響を及ぼす第１の変調妨害波、オーディオ・ヘッド９の信号ラインに影響を及ぼす第２の変調妨害波、フル・イレーズヘッド７に影響を及ぼす第３の変調妨害波、オーディオ・イレーズヘッド６の信号ラインに影響を及ぼす第４の変調妨害波に分別してみた場合に、これら変調妨害波は次に示すように回路上に影響を与える。
【００１８】
第１の変調妨害波は、５ボルト電源電圧であるスイッチングレギュレータ１１自体に影響を与え、電源ラインに妨害波信号を含んだ信号が流れ、それは回路内の２.３ボルト基準電源１２、負荷Ｚ１を介してイコライザアンプ１３に入力する（Ｐ１→Ｐ２→Ｐ３→Ｐ４）。
【００１９】
第２の変調妨害波は、オーディオ・ヘッド９に影響を与え、接続してある信号ライン上に重畳した妨害波信号を含んだ信号が流れ、それれはコンデンサＣ２を介してイコライザアンプ１３に入力する（Ｐ５→Ｐ６→Ｐ７）。
【００２０】
第３の変調妨害波は、フル・イレーズヘッド７に影響を与え、接続してある信号ライン上に重畳した妨害波信号を含んだ信号が流れ、それはバイアストランス８、抵抗Ｒ１、オーディオ・ヘッド９、コンデンサＣ２を介してイコライザアンプ１３に入力する（Ｐ８→Ｐ９→Ｐ１０→Ｐ１１→Ｐ１２→Ｐ１３）。又、フル・イレーズヘッド７において重畳した妨害波信号を含んだ信号が流れ、それはコンデンサＣ１、接地側ライン、負荷Ｚ２を介してイコライザアンプ１３に入力する（Ｐ８→Ｐ１４→Ｐ１５→Ｐ１６）。更に、接地側ラインを流れる信号は負荷Ｚ４を介してラインアンプ１４に入力する（Ｐ１５→Ｐ１７→Ｐ１８）。
【００２１】
第４の変調妨害波は、オーディオ・イレーズヘッド６に影響を与え、接続してある信号ラインに妨害波を含んだ信号が流れ、それはバイアストランス８、抵抗Ｒ１、オーディオ・ヘッド９、コンデンサＣ２を介してイコライザアンプ１３に入力する（Ｐ１９→Ｐ２０→Ｐ２１→Ｐ２２→Ｐ２３→Ｐ２４）。又、オーディオ・イレーズヘッド６に重畳した妨害波信号を含んだ信号は、コンデンサＣ１、接地側ライン、負荷Ｚ２を介してイコライザアンプ１３に入力する（Ｐ１９→Ｐ２０→Ｐ２５→Ｐ２６→Ｐ２７）。更に、接地側ラインを流れる妨害波信号を含んだ信号は、負荷Ｚ４を介してラインアンプ１４に入力する（Ｐ２６→Ｐ２８→Ｐ２９）。
【００２２】
そして、このようにしてイコライザアンプ１３及びラインアンプ１４に入り込んだ妨害波の信号はイコライザアンプ１３においては除去することができないため、そのまま信号として増幅され、負荷Ｚ３を介してフイードバックされると共に、増幅された信号は負荷Ｚ４を介してラインアンプ１４に入力される（Ｓ１→Ｓ２→Ｓ３→Ｓ４、Ｓ１→Ｓ６→Ｓ７）。ラインアンプ１４に入力された信号は、ラインアンプ１４においても結局、妨害波信号を取り除くことができず、そのまま妨害波信号が含んだ状態で出力されることになる（Ｏ１）。
【００２３】
このように、オーディオ再生時に妨害波を加えると、再生ヘッド系のみならず種々の経路から侵入する妨害波がオーディオＩＣ内、即ちオペアンプ回路５のイコライザアンプ１３、ラインアンプ１４で検波され、図９及び図１０に示すように、２００Ｈｚの信号成分として現れ、Ｓ／Ｎ比を劣化させることになる。この２００Ｈｚの低周波成分は、オーディオ信号で使用する実信号の帯域に入っているため、フィルタ等での除去はできない。そのため、信号を増幅するイコライザアンプ１３に入力されてしまうと妨害波信号を除去することが極めて困難となり、信号の精度を悪化させることになる。図９において、実信号と共に入りこんだ２００Ｈｚの妨害波信号は、増幅され、ピーク状の信号として増幅され、再生すると、例えばビート音が出力されることになる。
【００２４】
従って、妨害波が、増幅変換される前に除去することにより所望の信号への影響（副作用）をなくすこと、及び基板にマウントするフィルタタイプの構造にして、接触等に頼らないようにして安定度を高めること、コストを安価にできることに解決しなければならない課題を有する。
【００２５】
【課題を解決するための手段】
上記課題を解決するために、本発明に係る妨害除去手段を備えたオーディオ信号再生回路及びオーディオ機器は、次に示す構成にすることである。
【００２６】
（１）基準電圧を生成する電源、ヘッドで得られた信号を増幅するイコライザアンプ、及び出力アンプとしてのラインアンプを備えたオペアンプに、信号ライン及び電源ラインにより信号及び電源を供給する接続形態を有するオーディオ再生回路において、前記電源ラインが前記電源に接続する入口及び又は入口前の前記電源ラインに、及び前記信号ライン並びに前記電源ラインが前記イコライザアンプ並びに前記ラインアンプに接続する入口及び又は入口前の前記電源ライン並びに前記信号ラインに、９００±５ＭＨｚ帯の周波数帯域を検波減衰させるフィルタ手段を設けた、妨害波除去手段を備えたオーディオ信号再生回路。
（２）前記フィルタ手段は、前記イコライザアンプの入力端子に接続する信号ラインの入力にＴ型フィルタを組み込んだ、（１）記載の妨害波除去手段を備えたオーディオ信号再生回路。
（３）前記Ｔ型フィルタは、コイルとコンデンサとから構成され、信号ラインとイコライザアンプの入力端子との間に直列接続した２個のコイルを挿入し、該コイルの中間位置にコンデンサの一方側を接続し、該コンデンサの他方側を接地した接続構成である、（２）記載の妨害波除去手段を備えたオーディオ信号再生回路。
（４）前記コイルは、４７ｎＨのインダクタである、（１）記載の妨害波除去手段を備えたオーディオ信号再生回路。
（５）前記フィルタ手段は、前記ヘッドに接続した信号ラインにコイルを挿入したフイルタを含む、（２）記載の妨害除去手段を備えたオーディオ信号再生回路。
【００２７】
（６）オーディオ信号を記録再生する記録再生手段と、該記録再生手段により再生する際に妨害波信号を除去する妨害波除去手段と、を備えたオーディオ機器であって、前記妨害波除去手段は、基準電圧を生成する電源、ヘッドで得られた信号を増幅するイコライザアンプ、及び出力アンプとしてのラインアンプを備えたオペアンプのうちの前記電源に接続する電源ラインの入口及び又は入口前の前記電源ラインに、及び前記オペアンプのうちの前記イコライザアンプ並びに前記ラインアンプに接続する信号ライン並びに電源ラインの入口及び又は入口前の前記電源ライン並びに前記信号ラインに、９００ＭＨｚ帯の周波数帯域を検波減衰させるためのフィルタ手段を設けた、オーディオ機器。
（７）前記フィルタ手段は、前記イコライザアンプの入力端子に接続する信号ラインの入口に、Ｔ型フィルタを組み込んだ、（６）記載のオーディオ機器。
（８）前記Ｔ型フィルタは、コイルとコンデンサとから構成され、信号ラインとイコライザアンプの入力端子との間に直列接続した２個のコイルを挿入し、該コイルの中間位置にコンデンサの一方側を接続し、該コンデンサの他方側を接地した接続構成である、（７）記載のオーディオ機器。
（９）前記コイルは、４７ｎＨのインダクタである、（６）記載のオーディオ機器。
（１０）前記フィルタ手段は、前記ヘッドに接続した信号ラインにコイルを挿入したフイルタを含む、（７）記載のオーディオ機器。
【００２８】
このように、オーディオ信号再生回路のうちオペアンプ回路に入る手前の電源ライン及び信号ラインにフィルタ手段を設けたことにより、信号を処理する前で９００ＭＨｚ帯の妨害波信号を除去又は減衰することが可能であり、オペアンプ回路で減衰又は除去できない、正規の増幅する信号と同じくする、所謂、９００ＭＨｚ帯の変調された低周波帯域、例えば２００Ｈｚ帯からなる妨害波信号、の影響を受けないか又は実用上無視できる範囲内で増幅することができる。
【００２９】
【発明の実施の形態】
次に、本発明に係る妨害波除去手段を備えたオーディオ信号再生回路及びオーディオ機器の実施形態について、図面を参照して説明する。
【００３０】
本発明に係るオーディオ信号再生回路は、電子機器、特に従来技術で説明した「ＥＮ５５０２０―Ａ１２」規格に基づく規制対象になるＡＶ機器、実施例においてオーディオ機器、例えば、ＶＴＲ（Ｖｉｄｅｏ  Ｔａｐｅ  Ｒｅｃｏｒｄｅｒ）、チューナを備えたテープレコーダ（レシーバ等）に搭載可能であり、又、将来的には規制対象となるビデオカメラ（ＶＨＳ−Ｃ）等のアナログ（ＡＭ変調）方式の音声記録方式を有する電子機器、実施例においてオーディオ機器に利用可能である。
【００３１】
実施例におけるオーディオ機器１は、図１に示すようにオーディオ信号を記録再生することができるオーディオ信号再生回路を備えた記録再生部２と、この記録再生部２にて再生したオーディオ信号に影響する妨害波を除去する妨害波除去手段である妨害波除去部３とから構成され、その他のものは省略してある。
【００３２】
オーディオ再生回路４は、図２に示すように、オーディオ・イレーズヘッド６、フル・イレーズヘッド７、オーディオ・ヘッド９に接続されたオーディオＩＣチップに内蔵されているオペアンプであるオペアンプ回路５とからなる。
【００３３】
オペアンプ回路５は、５ボルトのスイッチングレギュレータ１１から電源電圧を入力して２.３ボルトの基準電圧を生成する２.３ボルト電源１２と、妨害波除去手段であるフィルタ手段であるＴ型フィルタ１５並びにコイル、ヘッド６、７、９からの信号を受信して増幅するイコライザアンプ１３と、ラインアンプ１４とから構成されている。
【００３４】
このような構成からなるオーディオ再生回路４の接続状態は、オーディオ・イレーズヘッド６、フル・イレーズヘッド７、コンデンサＣ１を並列に接続してある。オーディオ・イレーズヘッド６とフル・イレーズヘッド７の間には、妨害波除去用フィルタである第１のコイル１６ａが挿入されている。又、フル・イレーズヘッド７とコンデンサＣ１との間には妨害波除去用フィルタである第２のコイル１６ｂが挿入されている。この第２のコイル１６ｂとコンデンサＣ１との中間点をバイアストランス８の中間位置に接続してある。バイアストランス８の一方の端子は、並列接続したオーディオ・イレーズヘッド６並びにフル・イレーズヘッド７の接地側ラインに接続し、他方の端子は抵抗Ｒ１、妨害波除去用フィルタである第３のコイル１６ｃ、スイッチ１０を介して並列接続したオーディオ・イレーズヘッド６並びにフル・イレーズヘッド７に接続してある。この第３のコイル１６ｃとスイッチ１０との中間点をオーディオヘッド９の一方の端子に接続し、オーディオヘッド９の他方の端子はコンデンサＣ２、妨害波除去用フィルタである第４のコイル１６ｄ、妨害波除去用フィルタであるＴ型フィルタ１５を介してイコライザアンプ１３の一方の入力端子に接続されている。このＴ型フィルタ１５は、第５及び第６のコイル１６ｅ、１６ｆとコンデンサＣ３とから構成され、これらは信号ラインに設けた第４のコイル１６ｄとイコライザアンプ１３の入力端子との間に直列接続した第５及び第６のコイル１６ｅ、１６ｆを挿入し、この第５及び第６のコイル１６ｅ、１６ｆの中間位置にコンデンサＣ３の一方側を接続し、このコンデンサＣ３の他方側を接地した接続構成となっている。又、このＴ型フィルタ１５の第５及び第６のコイル１６ｅ、１６ｆの中間点は、負荷Ｚ１を介して２.３ボルト電源１２に接続されている。この２.３ボルト電源１２と外部の５ボルトのスイッチングレギュレータ１１との間の電源ラインには、直列接続した妨害波除去用フィルタである第７及び第８のコイル１６ｇ、１６ｈが挿入されている。又、イコライザアンプ１３の他方の入力端子は、妨害波除去用フィルタである第９のコイル１６ｉ及び負荷Ｚ２を介して接地されていると共に、イコライザアンプ１３の出力端子は、負荷Ｚ３を介した第９のコイル１６ｉと負荷Ｚ２との中間点に接続されている。また、このイコライザアンプ１３の出力端子は、負荷Ｚ４を介して接地されていると共に、負荷Ｚ４、妨害波除去用フィルタである第１０のコイル１６ｊを介してラインアンプ１４の入力端子に接続されている。ラインアンプ１４の出力端子は、図示しない外部端子に接続されている。
【００３５】
このような構成及び接続状態を有するオーディオ信号再生回路４においては、ヘッド６、７、９からの信号がイコライザアンプ１３により増幅され、ラインアンプ１４を介して出力することができるのであるが、オペアンプ回路５に入力するための信号ライン及び電源を供給する電源ラインに９００±５ＭＨｚ帯域の信号を減衰させるための第１〜第４、第７〜第１０のコイル１６ａ〜１６ｊ及びＴ型フィルタ１５を設けたことにより、オペアンプ回路５に入力する前に妨害波信号を除去又は減衰させることができる。
【００３６】
ここで、除去又は減衰させられる妨害波信号の経路について、図２を参照して説明する。尚、妨害波信号は、上述した従来技術で説明した「ＥＮ５５０２０―Ａ１２」規格に基づく９００±５ＭＨｚの周波数をデューテイ５０％の２００Ｈｚで変調したものであり、先ず、電源ラインに影響を及ぼす第１の変調妨害波、オーディオ・ヘッド９の信号ラインに影響を及ぼす第２の変調妨害波、フル・イレーズヘッド７に影響を及ぼす第３の変調妨害波、オーディオ・イレーズヘッド６の信号ラインに影響を及ぼす第４の変調妨害波に分別してみることができ、これら変調妨害波は次に示すように回路上において減衰される。
【００３７】
第１の変調妨害波は、５ボルトのスイッチングレギュレータ１１自体に影響を与え、それは、スイッチングレギュレータ１１と２.３ボルト基準電圧１２との間の電源ラインに設けた第７及び第８のコイル１６ｇ、１６ｈにより減衰され、更に回路内の２.３ボルト基準電圧１２、負荷Ｚ１、を経由してＴ型フィルタ１５で更に減衰されてイコライザアンプ１３に入力する（Ｐ１０１→Ｐ１０２→Ｐ１０３→Ｐ１０４）。
【００３８】
第２の変調妨害波は、オーディオ・ヘッド９の信号ライン上に重畳し、その妨害波信号を含んだ信号はコンデンサＣ２を介して第４のコイル１６ｄにより減衰され、更に、Ｔ型フィルタ１５により減衰されてイコライザアンプ１３に入力する（Ｐ１０５→Ｐ１０６→Ｐ１０７）。
【００３９】
第３の変調妨害波は、フル・イレーズヘッド７の信号ライン上に妨害波が重畳するが、第２のコイル１６ｂにより減衰されて、バイアストランス８、抵抗Ｒ１を介し、更に第３のコイル１６ｃにより減衰されて通過し、オーディオ・ヘッド９、コンデンサＣ２、第４のコイル１６ｄで更に減衰され、Ｔ型フィルタ１５で減衰されてイコライザアンプ１３に入力する（Ｐ１０８→Ｐ１０９→Ｐ１１０→Ｐ１１１→Ｐ１１２→Ｐ１１３）。又、フル・イレーズヘッド７に重畳し減衰された信号は、コンデンサＣ１、接地側で接地される（Ｐ１０８→Ｐ１１４→Ｐ１１５→Ｐ１１６）。
【００４０】
第４の変調妨害波は、オーディオ・イレーズヘッド６の信号ライン上に妨害波が重畳すると第１及び第２のコイル１６ａ、１６ｂにより減衰され、更に、バイアストランス８を経由して第３のコイル１６ｃにより減衰され、抵抗Ｒ１、オーディオ・ヘッド９、コンデンサＣ２を経由して第４のコイル１６ｄにより減衰され、さらにＴ型フィルタ１５により減衰されてイコライザアンプ１３に入力する（Ｐ１１７→Ｐ１１８→Ｐ１１９→Ｐ１２０→Ｐ１２１→Ｐ１２２→Ｐ１２３）。又、オーディオ・イレーズヘッド６に重畳した妨害波信号は、第１及び第２のコイル１６ａ、１６ｂにより減衰された後に、コンデンサＣ１、接地側ラインに流れて消去する（Ｐ１１７→Ｐ１１８→Ｐ１２４→Ｐ１２５→Ｐ１２６）。
【００４１】
そして、このようにしてコイル及びＴ型フィルタ１５により妨害波が減衰された信号は、イコライザアンプ１３及びラインアンプ１４に入り込み正規の信号と共に増幅され、負荷Ｚ３を介してフイードバックされると共に、増幅された信号は負荷Ｚ４、第１０のコイル１６ｊを介してラインアンプ１４に入力される（Ｓ１０１→Ｓ１０２→Ｓ１０３、Ｓ１０１→Ｓ１０４→Ｓ１０５）。上述の如く、負荷Ｚ４がオペアンプ回路５の外部に位置している場合には、妨害波の影響を受けるため、ラインアンプ１４に入力する入り口において第１０のコイル１６ｊにより減衰されてからラインアンプ１４に入力される。ラインアンプ１４に入力された信号は、妨害波信号が減衰された状態であるため、その妨害波信号は無視できる状態で出力されることになる（Ｏ１０１）。
【００４２】
このようにしてイコライザアンプ１３で増幅される信号には、図３に示すように、入力側で妨害波を減衰させた状態で増幅しているために、増幅した信号に入り込んでいる妨害波信号（２００Ｈｚノイズ）は、従来技術で説明した図１０に示すピーク信号に比べて殆ど無視できる程度に小さな信号にすることができるのであり、その分、正規の信号に与える影響は少なくすることができ、実用上無視できるものとなる。従って、上述の「Ｅｎ５５０２０−Ａ１２」規格に適合した、所謂、Ｓ／Ｎ比４０ｄＢの確保が可能になる。
【００４３】
このように、オーディオ信号再生時に妨害波が印加されていても、再生ヘッド系のみならず種々の経路から侵入する妨害波を減衰することができる。この減衰するためのコイルは、「ＥＮ５５０２０−Ａ１２」の規格で規制されている７００±５ＭＨｚの妨害波に有効的に作用するインダクタ、即ち、４７ｎＨのインダクタが好ましい。このインダクタは、図４〜図６に示すように、インダクタ係数Ｑと周波数との関係において、例えば０.４ＧＨｚのときに「４０」であり、インピーダンスと周波数との関係において１.４ＧＨｚのときに１０４〜１０５Ωの値になり、インダクタンスと周波数との関係において０.４ＧＨｚを境にして急勾配を描くような特性である部品であればよい。
【００４４】
尚、実施例において、妨害波信号を減衰するフィルタ手段として４７ｎＨのインダクタを用いたが、これに限定されることなく、９００ＭＨｚ帯の周波数を減衰させる、例えばフェライトビーズ等のデバイスを利用しても良く、又、イコライザアンプの入口に設けたＴ型フィルタは、ディスクリート部品を組み合わせたものであるが。これに限定されることなく、９００ＭＨｚ帯に対するフィルタリング特性を有する三端子構造の単一フィルタでもよい。
【００４５】
【発明の効果】
以上説明したように、本発明に係る妨害波除去手段を備えたオーディオ信号再生回路及びオーディオ機器は、オペアンプの入口における信号ライン及び電源ラインに９００ＭＨｚ帯の妨害波信号を減衰させるフィルタ手段を備えたことにより、信号と同じ周波数帯域を有する信号であっても、オペアンプに入力する前に除去又は減衰させることができるため、「ＥＮ５５０２０−Ａ１２」規格に準拠した回路構成及び機器を得ることができるという効果がある。
【図面の簡単な説明】
【図１】本発明に係るオーディオ信号再生回路を備えたオーディオ機器の構成を示した説明図である。
【図２】同オーディオ信号再生回路の構成及び妨害波による妨害波信号の経路を示した略示的なブロック図である。
【図３】図２における回路構成において、「ＥＮ５５０２０−Ａ１２」規格に準拠した測定方法により測定した妨害波信号のスペクトラムである。
【図４】同妨害波信号を除去及び減衰させるためのフィルタ手段に採用したコイルのインダクタ係数Ｑと周波数との特性を示したグラフである。
【図５】同妨害波信号を除去及び減衰させるためのフィルタ手段に採用したコイルのインピーダンス（Ω）と周波数との特性を示したグラフである。
【図６】同妨害波信号を除去及び減衰させるためのフィルタ手段に採用したコイルのインダクタンス（ｎＨ）と周波数との特性を示したグラフである。
【図７】「Ｅｎ５５０２０−Ａ１２」規格に基づく測定方法を説明した説明図である。
【図８】従来技術における９００ＭＨｚ帯域の妨害波信号を除去又は減衰する手段を施していないオーディオ信号再生回路のブロック図である。
【図９】図８における回路において、「ＥＮ５５０２０−Ａ１２」規格に基づく信号の出力波形を示した実測値である。
【図１０】図８に示すオーディオ信号再生回路の構成及び妨害波による妨害波信号の経路を示した略示的なブロック図である。
【符号の説明】
１；オーディオ機器、２；記録再生部、３；妨害除去部、４；オーディオ信号再生回路、５；オペアンプ回路、６；オーディオ・イレーズヘッド、７；フル・イレーズヘッド、８；バイアストランス、９；オーディオ・ヘッド、１０；スイッチ、１１；スイッチングレギュレータ、１２；２.３ボルト基準電源、１３；イコライザアンプ、１４；ラインアンプ、１５；Ｔ型フィルタ、１６ａ〜１６ｊ；第１〜第１０のコイル
【図１】
0004552321.tif 000002
【図２】
0004552321.tif 000003
【図３】
0004552321.tif 000004
【図４】
0004552321.tif 000005
【図５】
0004552321.tif 000006
【図６】
0004552321.tif 000007
【図７】
0004552321.tif 000008
【図８】
0004552321.tif 000009
【図９】
0004552321.tif 000010
【図１０】
0004552321.tif 000011